(57)【要約】【課題】出力処理が行われる前に、ユーザが出力結果の排出状況を知ることを可能とする。【解決手段】表示部３３は、制御部３２により制御され、ユーザに各種情報を表示する。制御部３２は、印刷データに基づいて生成された画像を用紙上に出力する前に、その印刷データの出力結果の排出状況を示す情報を表示部３３に表示するよう制御する。つまり、制御部３２は、印刷処理を行う前に、印刷結果の排出状況が分かるような画像を事前に表示する排紙プレビュー表示を行うことにより、ユーザに排出された場合の様子を知らせる動作を行う。【選択図】図１
2018202657.tif 000002
【特許請求の範囲】
【請求項１】
印刷データに基づいて生成された画像を用紙上に出力する前に、前記印刷データの出力結果の排出状況を示す情報を表示するよう制御する表示制御手段
を備えた情報処理装置。
【請求項２】
前記出力結果の排出状況を示す情報は、排出場所の情報と排出時の状態を表した画像情報である請求項１記載の情報処理装置。
【請求項３】
前記排出時の状態を表した画像情報には、出力用紙の向き、出力用紙のサイズ、出力用紙の印刷面、後処理が行われる状態、集約印刷の状態および出力画像の情報のうちの少なくとも１つまたは複数を組み合わせた情報が含まれる請求項２記載の情報処理装置。
【請求項４】
前記後処理が行われる状態の情報が、ステープル処理が行われる位置、パンチ処理が行われる位置、折り処理が行われた後の状態または断裁処理が行われた後の状態を示す情報である請求項３記載の情報処理装置。
【請求項５】
前記排出時の状態を表した画像情報には、出力部数、丁合いの状態、排出順序および面付け状態の情報のうちの少なくとも１つまたは複数を組み合わせた情報がさらに含まれる請求項３又は４記載の情報処理装置。
【請求項６】
前記排出時の状態を表した画像情報には、出力用紙束に挿入される挿入用紙の状態が分かる情報が含まれる請求項３から５のいずれか記載の情報処理装置。
【請求項７】
出力結果の排出状況が分かるような情報には、排出時の用紙の動きを表した動画像情報がさらに含まれる請求項２記載の情報処理装置。
【請求項８】
前記表示制御手段は、出力処理が行われる際の給紙状況を示す情報をさらに表示するよう制御する請求項１から７のいずれか記載の情報処理装置。
【請求項９】
前記給紙状況を示す情報が、給紙場所の情報と給紙時の状態を表した画像情報である請求項８記載の情報処理装置。
【請求項１０】
前記給紙時の状態を表した画像情報には、給紙用紙の向き、給紙用紙のサイズ、給紙用紙に対する印刷予定面、後処理が行われる予定位置、集約印刷の状態および出力予定画像の情報のうちの少なくとも１つまたは複数を組み合わせた情報が含まれる請求項９記載の情報処理装置。
【請求項１１】
前記表示制御手段は、前記印刷データが複数頁により構成され、前記給紙時の状態を示す画像に対して他の頁に対する給紙時の状態を示す画像を表示する操作が行われた場合、排出状況を示す情報の表示内容と連動して給紙状況を示す情報の表示内容を変更する請求項９記載の情報処理装置。
【請求項１２】
前記表示制御手段は、前記印刷データに基づいて出力される出力画像の情報を、頁単位または用紙単位でさらに表示するよう制御する請求項１から１１のいずれか記載の情報処理装置。
【請求項１３】
印刷データに基づいて生成された画像を用紙上に出力する前に、前記印刷データの出力結果の排出状況を示す情報を表示するよう制御する表示制御ステップ
をコンピュータに実行させるためのプログラム。
【発明の詳細な説明】
【技術分野】
【０００１】
本発明は、情報処理装置およびプログラムに関する。
【背景技術】
【０００２】
特許文献１には、プリンタドライバを使い慣れていない人に対して印刷動作を分かり易く示すために、生成されたプレビュー画像を用いて、給紙動作、レイアウト、排紙動作のシミュレーション画像を表示するようにした情報処理装置が開示されている。
【０００３】
特許文献２には、用紙トレイに載置された用紙の画像と、印刷しようとする画像とを合成して印刷プレビューウィンドウ上に表示するようにした印刷装置が開示されている。
【０００４】
特許文献３には、印刷対象ドキュメントのプレビュー画像を、記録媒体の排紙方向が識別可能なように表示する印刷制御装置が開示されている。
【０００５】
特許文献４には、供給された用紙のどの面にどのような画像が印刷されるかをユーザに知らせることにより、用紙の向きや印刷面の裏／表を間違えて設置することを抑制できる画像形成装置が開示されている。
【先行技術文献】
【特許文献】
【０００６】
【特許文献１】特開２００６−２５２１３０号公報
【特許文献２】特開２００９−１０４５９０号公報
【特許文献３】特開２０１２−０３３０５６号公報
【特許文献４】特開２０１５−０２３３５０号公報
【発明の概要】
【発明が解決しようとする課題】
【０００７】
本発明の目的は、出力処理が行われる前に、ユーザが出力結果の排出状況を知ることを可能とする情報処理装置およびプログラムを提供することである。
【課題を解決するための手段】
【０００８】
［情報処理装置］
請求項１に係る本発明は、印刷データに基づいて生成された画像を用紙上に出力する前に、前記印刷データの出力結果の排出状況を示す情報を表示するよう制御する表示制御手段を備えた情報処理装置である。
【０００９】
請求項２に係る本発明は、前記出力結果の排出状況を示す情報は、排出場所の情報と排出時の状態を表した画像情報である請求項１記載の情報処理装置である。
【００１０】
請求項３に係る本発明は、前記排出時の状態を表した画像情報には、出力用紙の向き、出力用紙のサイズ、出力用紙の印刷面、後処理が行われる状態、集約印刷の状態および出力画像の情報のうちの少なくとも１つまたは複数を組み合わせた情報が含まれる請求項２記載の情報処理装置である。
【００１１】
請求項４に係る本発明は、前記後処理が行われる状態の情報が、ステープル処理が行われる位置、パンチ処理が行われる位置、折り処理が行われた後の状態または断裁処理が行われた後の状態を示す情報である請求項３記載の情報処理装置である。
【００１２】
請求項５に係る本発明は、前記排出時の状態を表した画像情報には、出力部数、丁合いの状態、排出順序および面付け状態の情報のうちの少なくとも１つまたは複数を組み合わせた情報がさらに含まれる請求項３又は４記載の情報処理装置である。
【００１３】
請求項６に係る本発明は、前記排出時の状態を表した画像情報には、出力用紙束に挿入される挿入用紙の状態が分かる情報が含まれる請求項３から５のいずれか記載の情報処理装置である。
【００１４】
請求項７に係る本発明は、出力結果の排出状況が分かるような情報には、排出時の用紙の動きを表した動画像情報がさらに含まれる請求項２記載の情報処理装置である。
【００１５】
請求項８に係る本発明は、前記表示制御手段が、出力処理が行われる際の給紙状況を示す情報をさらに表示するよう制御する請求項１から７のいずれか記載の情報処理装置である。
【００１６】
請求項９に係る本発明は、前記給紙状況を示す情報が、給紙場所の情報と給紙時の状態を表した画像情報である請求項８記載の情報処理装置である。
【００１７】
請求項１０に係る本発明は、前記給紙時の状態を表した画像情報には、給紙用紙の向き、給紙用紙のサイズ、給紙用紙に対する印刷予定面、後処理が行われる予定位置、集約印刷の状態および出力予定画像の情報のうちの少なくとも１つまたは複数を組み合わせた情報が含まれる請求項９記載の情報処理装置である。
【００１８】
請求項１１に係る本発明は、前記表示制御手段が、前記印刷データが複数頁により構成され、前記給紙時の状態を示す画像に対して他の頁に対する給紙時の状態を示す画像を表示する操作が行われた場合、排出状況を示す情報の表示内容と連動して給紙状況を示す情報の表示内容を変更する請求項９記載の情報処理装置である。
【００１９】
請求項１２に係る本発明は、前記表示制御手段が、前記印刷データに基づいて出力される出力画像の情報を、頁単位または用紙単位でさらに表示するよう制御する請求項１から１１のいずれか記載の情報処理装置である。
【００２０】
[プログラム]
請求項１３に係る本発明は、印刷データに基づいて生成された画像を用紙上に出力する前に、前記印刷データの出力結果の排出状況を示す情報を表示するよう制御する表示制御ステップをコンピュータに実行させるためのプログラムである。
【発明の効果】
【００２１】
請求項１に係る本発明によれば、出力処理が行われる前に、ユーザが出力結果の排出状況を知ることを可能とする情報処理装置を提供することができる。
【００２２】
請求項２に係る本発明によれば、出力処理が行われる前に、ユーザが出力結果の排出場所および排出時の状態を知ることを可能とする情報処理装置を提供することができる。
【００２３】
請求項３に係る本発明によれば、出力処理が行われる前に、ユーザが出力結果の出力用紙の向き、出力用紙のサイズ、出力用紙の印刷面、後処理が行われる状態、集約印刷の状態および出力画像の情報を知ることを可能とする情報処理装置を提供することができる。
【００２４】
請求項４に係る本発明によれば、出力処理が行われる前に、ユーザが、ステープル処理が行われる位置、パンチ処理が行われる位置、折り処理が行われた後の状態または断裁処理が行われた後の状態を知ることを可能とする情報処理装置を提供することができる。
【００２５】
請求項５に係る本発明によれば、出力処理が行われる前に、ユーザが、出力部数、丁合いの状態、排出順序および面付け状態を知ることを可能とする情報処理装置を提供することができる。
【００２６】
請求項６に係る本発明によれば、出力処理が行われる前に、ユーザが、出力用紙束に挿入される挿入用紙の状態を知ることを可能とする情報処理装置を提供することができる。
【００２７】
請求項７に係る本発明によれば、出力処理が行われる前に、ユーザが、排出時の用紙の動きを知ることを可能とする情報処理装置を提供することができる。
【００２８】
請求項８に係る本発明によれば、出力処理が行われる前に、ユーザが、出力処理が行われる際の給紙状況を知ることを可能とする情報処理装置を提供することができる。
【００２９】
請求項９に係る本発明によれば、出力処理が行われる前に、ユーザが、給紙場所と給紙時の状態を知ることを可能とする情報処理装置を提供することができる。
【００３０】
請求項１０に係る本発明によれば、出力処理が行われる前に、ユーザが、給紙用紙の向き、給紙用紙のサイズ、給紙用紙に対する印刷予定面、後処理が行われる予定位置、集約印刷の状態および出力予定画像を知ることを可能とする情報処理装置を提供することができる。
【００３１】
請求項１１に係る本発明によれば、複数頁の印刷処理を行う際に、ユーザが排出状況と給紙状況を連動して知ることが可能な情報処理装置を提供することができる。
【００３２】
請求項１２に係る本発明によれば、ユーザが、印刷データに基づいて出力される出力画像の情報を、頁単位または用紙単位で知ることが可能な情報処理装置を提供することができる。
【００３３】
請求項１３に係る本発明によれば、出力処理が行われる前に、ユーザが出力結果の排出状況を知ることを可能とするプログラムを提供することができる。
【図面の簡単な説明】
【００３４】
【図１】本発明の一実施形態の画像形成装置１０を含む印刷システムのシステム構成を示す図である。
【図２】画像形成装置１０と後処理装置２０の構成を説明するための図である。
【図３】本発明の一実施形態における画像形成装置１０のハードウェア構成を示すブロック図である。
【図４】本発明の一実施形態における画像形成装置１０の機能構成を示すブロック図である。
【図５】印刷データ例を説明するための図である。
【図６】排紙プレビュー表示例１を説明するための図である。
【図７】排紙プレビュー表示例２を説明するための図である。
【図８】排紙プレビュー表示例３を説明するための図である。
【図９】排紙プレビュー表示例４を説明するための図である。
【図１０】排紙、給紙プレビュー表示例１を説明するための図である。
【図１１】排紙、給紙プレビュー表示例２を説明するための図である。
【図１２】排紙、給紙プレビュー表示例３−１を説明するための図である。
【図１３】排紙、給紙プレビュー表示例３−２を説明するための図である。
【図１４】排紙、給紙プレビュー表示例３−３を説明するための図である。
【図１５】排紙、給紙、イメージプレビュー表示例１を説明するための図である。
【図１６】排紙、給紙、イメージプレビュー表示例２を説明するための図である。
【発明を実施するための形態】
【００３５】
次に、本発明の実施の形態について図面を参照して詳細に説明する。
【００３６】
図１は本発明の一実施形態の画像形成装置１０を含む印刷システムの構成を示す図である。
【００３７】
本発明の一実施形態の印刷システムは、図１に示されるように、ネットワーク３０により相互に接続された画像形成装置１０、および端末装置２０により構成される。端末装置４０は、印刷データを生成して、ネットワーク３０経由にて生成した印刷データを画像形成装置１０に対して送信する。画像形成装置１０は、端末装置４０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００３８】
そして、画像形成装置１０には、ステープル処理、パンチ処理、折り処理等の後処理を行うための後処理装置２０が接続されている。
【００３９】
この画像形成装置１０と後処理装置２０の構成を図２を参照して説明する。
【００４０】
画像形成装置１０には、印刷処理において使用される用紙を給紙するための給紙トレイ４１〜４４と、手差しトレイ４５とが備えられている。給紙トレイ４１〜４４には、それぞれ１〜４のトレイ番号が割り当てられており、以降の説明では給紙トレイ１〜４として表現する。
【００４１】
また、後処理装置２０は、画像形成装置１０において印刷処理が行われた後の用紙を受け取って、ステープル処理、パンチ処理等の各種後処理を実行する機能を備えている。この後処理装置２０には、画像形成装置１０から受け取った用紙を後処理を実行せずに排出するための排出トレイ２１と、後処理を行った後の用紙を排出するためのフィニッシャートレイ２２とが設けられている。
【００４２】
次に、本実施形態の画像形成システムにおける画像形成装置１０のハードウェア構成を図２に示す。
【００４３】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００４４】
プリントエンジン１７は、帯電、露光、現像、転写、定着などの工程を経て印刷用紙等の記録媒体上に画像を印刷する。
【００４５】
ＣＰＵ１１は、メモリ１２または記憶装置１３に格納された制御プログラムに基づいて所定の処理を実行して、画像形成装置１０の動作を制御する。
【００４６】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４７】
図３は、上記の制御プログラムが実行されることにより実現される画像形成装置１０の機能構成を示すブロック図である。
【００４８】
本実施形態の画像形成装置１０は、図３に示されるように、印刷ジョブ受信部３１と、制御部３２と、表示部３３と、データ格納部３４と、操作入力部３５と、出力部３６とを備えている。
【００４９】
印刷ジョブ受信部３１は、端末装置４０から送信されてきた印刷ジョブ（印刷指示）を受信する。
【００５０】
制御部３２は、印刷ジョブ受信部３１により受信された印刷ジョブに基づいて印刷データを生成して、生成した印刷データを出力部３６から出力する制御を行う。データ格納部３４は、制御部３２により生成された印刷データ等の各種データを格納する。
【００５１】
表示部３３は、制御部３２により制御され、ユーザに各種情報を表示する。操作入力部３５は、ユーザにより行われた各種操作情報を入力する。
【００５２】
出力部３６は、制御部３２による制御に基づいて、印刷用紙等の記録媒体上に画像を出力する。
【００５３】
そして、制御部３２は、印刷データに基づいて生成された画像を用紙上に出力する前に、その印刷データの出力結果の排出状況を示す情報を表示部３３に表示するよう制御する。
【００５４】
つまり、制御部３２は、印刷処理を行う前に、印刷結果の排出状況が分かるような画像を事前に表示する排紙プレビュー表示を行うことにより、ユーザに排出された場合の様子を知らせる動作を行う。
【００５５】
なお、以下の説明では、この排紙プレビュー表示は、画像形成装置１０における操作パネル等の表示部３３上に表示するものとして説明するが、端末装置４０から画像形成装置１０に印刷ジョブを送信する際に端末装置４０の画面上において排紙プレビュー表示を行うようにしても良い。
【００５６】
ここで、表示部３２により表示される出力結果の排出状況を示す情報は、排出場所の情報と排出時の状態を表した画像情報である。そして、排出時の状態を表した画像情報には、出力用紙の向き（縦方向または横方向）、出力用紙のサイズ（Ａ４、Ｂ５等のサイズ）、出力用紙の印刷面（裏面または表面）、後処理が行われる状態、集約印刷の状態および出力画像の情報のうちの少なくとも１つまたは複数を組み合わせた情報が含まれるようにしても良い。
【００５７】
また、後処理が行われる状態の情報とは、具体的には、ステープル処理が行われる位置、パンチ処理が行われる位置、折り処理が行われた後の状態または断裁処理が行われた後の状態を示す情報である。
【００５８】
なお、排出時の状態を表した画像情報には、出力部数、丁合いの状態、排出順序（１ページ目から最終ページ、最終ページから１ページ目）および冊子印刷の際の面付け状態の情報のうちの少なくとも１つまたは複数を組み合わせた情報がさらに含まれるようにしても良い。
【００５９】
さらに、排出時の状態を表した画像情報には、出力用紙束に挿入される合紙、バナーシート等の挿入用紙の状態が分かる情報が含まれるようにしても良い。
【００６０】
なお、出力結果の排出状況が分かるような情報として、排出時の用紙の動きを表した動画像情報を表示するようにしても良い。
【００６１】
ステープル処理が指定された場合には、印刷された後の用紙が一旦排出口から途中まで出てきて停止して、複数枚の用紙が纏められた後にステープル処理が行われてから排出口から排出されるような処理が行われる場合がある。このような場合、ユーザは用紙が排出されたものと勘違いしてステープル処理の途中で排出口から用紙を引っ張って取り出してしまうとステープル処理を正常に行うことができない。
【００６２】
そのため、排出時の用紙の動きを表した動画情報を排出プレビュー表示としてユーザに見せることにより、どのような排出動作が行われるかをユーザに事前に知ってもらうことができる。
【００６３】
また、制御部３２は、出力結果の排出状況を示す情報に加えて、出力処理が行われる際の給紙状況を示す情報を表示部３３にさらに表示するよう制御しても良い。
【００６４】
ここで、給紙状況を示す情報とは、例えば、給紙場所の情報と給紙時の状態を表した画像情報である。
【００６５】
また、給紙時の状態を表した画像情報には、給紙用紙の向き、給紙用紙のサイズ、給紙用紙に対する印刷予定面、後処理が行われる予定位置、集約印刷の状態および出力予定画像の情報のうちの少なくとも１つまたは複数を組み合わせた情報が含まれるようにしても良い。
【００６６】
また、制御部３２は、印刷データが複数ページ（頁）により構成され、給紙時の状態を示す画像に対して他のページに対する給紙時の状態を示す画像を表示する操作が行われた場合、排出状況を示す情報の表示内容と連動して給紙状況を示す情報の表示内容を変更するようにしても良い。
【００６７】
さらに、制御部３２は、印刷データに基づいて出力される出力画像の情報を、ページ単位または用紙単位でさらに表示するよう制御するようにしても良い。
【００６８】
次に、図面を参照して本実施形態の画像形成装置１０における排出状況の事前表示（排紙プレビュー表示）の表示例を説明する。
【００６９】
なお、以下の説明では、表示される内容が分かり易いように、図５に示すような印刷データに基づいて印刷処理を行う場合について説明する。図５に示した印刷データは、１ページ目から順番にＦ、Ｂ、Ｃ、Ｄという文字画像を表したデータとなっている。
【００７０】
［排紙プレビュー表示］
この図５に示した印刷データに基づいて、Ａ４たて用紙、片面を指定した場合に表示される排紙プレビュー表示の一例を図６に示す。
【００７１】
なお、本実施形態の画像形成装置１０および後処理装置２０では、印刷面を下にして出力するフェイスダウン出力が行われるようになっている。そのため、片面印刷した場合には、出力された印刷結果を見た場合ユーザからは白紙部分しか見えず、自分が印刷した印刷結果がどこに出力されているかを判別し難くなっている。
【００７２】
図６の排紙プレビュー表示例では、フェイスダウン出力であるため、背面に印刷される文字画像が点線により表されるとともに排出先は排出トレイ２１であることが表示されている。また、この排紙プレビュー表示例では、排紙方向が矢印により示されている。
【００７３】
このように、後処理が指定されていないため、後処理装置２０の排出トレイ２１に印刷結果が出力され、フェイスダウン出力であるため、印刷結果が見えない状態であることが、排出プレビュー表示を見ただけでユーザは容易に知ることができる。
【００７４】
次に、図５に示した印刷データに基づいて、Ａ４たて用紙、２アップ、片面、左上１ケ所のステープル処理を指定した場合に表示される排紙プレビュー表示の一例を図７に示す。なお、ここで、２アップとは、２ページ分の画像を縮小して１ページの画像として印刷する集約印刷を行うことを意味する。
【００７５】
図７の排紙プレビュー表示例では、２アップが指示されていることにより、２ページ分の画像が１ページ内に集約して印刷されるとともに、ステープル処理されて印刷されることが示されている。また、ステープル処理が指定されていることにより印刷結果は後処理装置２０のフィニッシャートレイ２２に出力されるため、図７では、排出先がフィニッシャートレイであることが表示されている。
【００７６】
次に、図５に示した印刷データに基づいて、Ａ４たて用紙、２アップ、片面、パンチ処理を指定した場合に表示される排紙プレビュー表示の一例を図８に示す。
【００７７】
図８の排紙プレビュー表示例では、２アップが指示されていることにより、２ページ分の画像が１ページ内に集約して印刷されるとともに、２つの丸画像が示されることによりパンチ処理されて印刷されることおよびパンチ処理される位置が示されている。
【００７８】
次に、図５に示した印刷データに基づいて、Ａ４たて用紙、２アップ、片面、折り処理を指定した場合に表示される排紙プレビュー表示の一例を図９に示す。
【００７９】
図９の排紙プレビュー表示例では、折り処理が指示されていることにより、印刷結果に対して折り処理が実行されて排出される際の形状が分かるような表示がされているのが分かる。
【００８０】
［排紙、給紙プレビュー表示］
次に、排紙プレビュー表示とともに給紙状態を示す給紙プレビュー表示を行う場合の表示例について説明する。
【００８１】
先ず、図５に示した印刷データに基づいて、Ａ４たて用紙、片面を指定した場合に表示される排紙、給紙プレビュー表示の一例を図１０に示す。
【００８２】
図１０に示す排紙、給紙プレビュー表示では、左側に給紙プレビュー画像が表示され、右側に排紙プレビュー画像が表示されている。なお、給紙プレビュー表示と排紙プレビュー表示を左右に並べて同時に表示するのではなく、切替えて表示するようにしても良い。
【００８３】
そして、給紙プレビュー表示では、給紙される用紙の向きやサイズ、給紙される用紙における印刷面および印刷される予定の画像が示されている。
【００８４】
さらに、この給紙プレビュー表示では、給紙に使用される給紙トレイの優先度が示されて、優先度が下位の他の給紙トレイから給紙が行われた場合の給紙プレビュー表示を選択して表示することも可能となっている。
【００８５】
つまり、図１０では、優先度１の給紙トレイ１から給紙される用紙が示されているが、優先度２、優先度３に設定されている給紙トレイ等から給紙した場合の給紙プレビュー表示に切り替えて表示することが可能となっている。
【００８６】
次に、図５に示した印刷データに基づいて、Ａ４たて用紙、片面、手差しを指定した場合に表示される排紙、給紙プレビュー表示の一例を図１１に示す。
【００８７】
図１１に示す排紙、給紙プレビュー表示では、手差しトレイ４５から給紙が行われる際の様子が示されており、給紙方向が矢印により示されるとともに、給紙される用紙の下面に画像が印刷されることになることが示されている。つまり、給紙トレイ４１〜４４からの給紙が、手差しトレイ４５からの給紙に切り替わった場合、印刷面が逆になることを給紙プレビュー画面から把握することができるようになっている。
【００８８】
次に、図５に示した印刷データに基づいて、Ａ４たて用紙、２アップ、片面、左上１ケ所ステープルを指定した場合に表示される排紙、給紙プレビュー表示の一例を図１２に示す。
【００８９】
図１２に示す排紙、給紙プレビュー表示では、給紙トレイ１から給紙が行われる際の様子が示されており、給紙される用紙の印刷面に給紙予定の画像およびステープル処理が行われる予定位置の情報が示されているのが分かる。
【００９０】
なお、パンチ処理、折り処理、断裁処理等の他の後処理が実行される場合にも、給紙プレビュー画像には、後処理が行われる予定位置が示されるとともに、排紙プレビュー画像には、後処理が実行された後の用紙の状態が示される。そのため、ユーザは、２つのプレビュー表示を比較することにより後処理の前後の状態を確認することができる。
【００９１】
そして、図１３に示すように、給紙プレビュー画像および排紙プレビュー画像の一方をスクロールすると、他方のプレビュー画像も連動してスクロールするようになっている。
【００９２】
そして、各プレビュー画像上において、それぞれのページをスクロールすることができる方向は用紙搬送方向となっている。そして、給紙プレビュー画像では、１ページ目が１番上に表示され、排紙プレビュー画像では１ページ目が一番下となるように順次重ねて表示される。
【００９３】
なお、図１３では、給紙プレビュー画像において、１ページ目の「ＦＢ」という文字が表示された画像を指でスクロールすることにより、２ページ目の「ＣＤ」という文字が表示された画像が表れている。そして、排紙プレビュー画像では、その動きに連動して、最初に表示されていた１ページ目の「ＦＢ」という文字が表示された画像の上に、２ページ目の「ＣＤ」という文字が表示された画像が移動して重なるように表示されている。
【００９４】
そして、２ページ目の画像の移動が完了すると、図１４に示すように、給紙プレビュー画像および排紙プレビュー画像上では、それぞれ２ページ目の「ＣＤ」という文字が表示された画像の給紙状況と排紙状況が分かるように表示されている。
【００９５】
なお、給紙プレビュー画像では、給紙される用紙１枚ごとにどの給紙トレイが用いられるかが切替えて表示されるようになっており、スクロール途中で給紙トレイが変更になった場合には、表示されている給紙トレイ名の情報や給紙トレイの外観画像が途中で切り替わるようになっている。
【００９６】
また、給紙プレビュー表示および排紙プレビュー表示のいずれにおいても、印刷ジョブの実行中に障害が発生した場合、障害が発生したプレビュー表示画像上において、障害が発生した旨の警告表示を行うようにしても良い。
【００９７】
例えば、給紙プレビュー画像における各ページの給紙状態をスクロールさせて順次表示させている場合に、途中で用紙切れが発生した場合、給紙プレビュー画像上に用紙切れとなった旨の警告表示を行うようにしても良い。また、排紙プレビュー画像上では、排出先の収容量オーバ等の旨の警告表示を行うようにしても良い。
【００９８】
［排紙、給紙、イメージプレビュー表示］
次に、排紙、給紙プレビュー表示を行う際に、各ページの印刷予定の画像を示すイメージプレビュー画像を同時に表示する場合の表示例について説明する。
【００９９】
先ず、図５に示した印刷データに基づいて、Ａ４たて用紙、２アップ、片面、左上１ケ所ステープル処理を指定した場合に表示される排紙、給紙、イメージプレビュー表示の一例を図１５に示す。
【０１００】
給紙状態を示す給紙プレビュー表示と排紙状態を示す排紙プレビュー表示を行った場合、画像方向が回転したり画像の表裏が反転したりして印刷される画像内容を確認し難くなる場合がある。
【０１０１】
そのため、図１５に示したように、給紙プレビュー表示および排紙プレビュー表示に加えて、各ページの画像内容を示すイメージプレビュー画像として表示することにより、ユーザは印刷予定の各ページの画像内容を把握することができる。
【０１０２】
なお、イメージプレビュー画像では、集約印刷等が行われる場合でも１ページ単位で表示することにより、ページ単位での編集操作を行うことが可能となる。例えば、コピー等のジョブを実行する場合、特定のページの画像のみコントラストを変更したいような場合でも、そのページの画像のみを選択して編集操作することが可能となる。
【０１０３】
なお、図１３に示したようなスクロール操作を行うことにより、各ページの画像を順次表示させるような場合、イメージプレビュー表示において現在給紙プレビュー画像と排紙プレビュー画像ではどのページの画像が表示されているのかが分かるように表示しても良い。図１５では、イメージプレビュー画像上において、表示中のページの画像が太い黒枠で表示されていることにより、そのことが分かるような表示となっている。そのため、給紙プレビュー画像と排紙プレビュー画像におけるスクロール操作と連動して、イメージプレビュー画像上においても表示中のページの画像が順次切り替わるような表示が行われる。
【０１０４】
次に、図５に示した印刷データに基づいて、Ａ４よこ用紙、２アップ、片面、左上１ケ所ステープル処理を指定した場合に表示される排紙、給紙、イメージプレビュー表示の一例を図１６に示す。
【０１０５】
図１６に示した排紙、給紙、イメージプレビュー表示では、用紙サイズとしてＡ４よこ用紙が選択されていることにより、給紙トレイ２が選択され、給紙される用紙および排紙される用紙が、Ａ４たて用紙を選択した場合と比較して、９０°回転していることを把握することが可能となっている。
【０１０６】
なお、本実施形態では、画像形成装置１０に後処理装置２０が接続されていることにより、排出トレイ２１とフィニッシャートレイ２２という２ヶ所の排出先がある場合を用いて説明したが、本発明はこれに限定されるものではなく、排出先が１ケ所の場合でも同様に本発明を適用することができるものである。
【０１０７】
[変形例]
上記実施形態では、画像形成装置１０の表示部３３または端末装置４０の画面上において、排紙プレビュー表示を行う場合を用いて説明したが、本発明はこれに限定されるものではなく、印刷用紙等に画像を形成して排出するような他の情報処理装置において排紙プレビュー表示を行う場合でも同様に本発明を適用することができるものである。
【符号の説明】
【０１０８】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    後処理装置
２１    排出トレイ
２２    フィニッシャートレイ
３０    ネットワーク
３１    印刷ジョブ受信部
３２    制御部
３３    表示部
３４    データ格納部
３５    操作入力部
３６    出力部
４１〜４４    給紙トレイ（給紙トレイ１〜４）
４５    手差しトレイ
【図１】
2018202657.tif 000003
【図２】
2018202657.tif 000004
【図３】
2018202657.tif 000005
【図４】
2018202657.tif 000006
【図５】
2018202657.tif 000007
【図６】
2018202657.tif 000008
【図７】
2018202657.tif 000009
【図８】
2018202657.tif 000010
【図９】
2018202657.tif 000011
【図１０】
2018202657.tif 000012
【図１１】
2018202657.tif 000013
【図１２】
2018202657.tif 000014
【図１３】
2018202657.tif 000015
【図１４】
2018202657.tif 000016
【図１５】
2018202657.tif 000017
【図１６】
2018202657.tif 000018